(57)【要約】【課題】  冷却ファン等の新たな部品を追加することなく、光ディスクの記録／再生停止時に、光ディスクの記録／再生時に上昇したディスク装置内部の温度を速やかに低下させるとともに、光ディスクの記録／再生停止時のディスク装置内部の温度上昇を抑制することができるようにする。【解決手段】  光ディスクの記録／再生が停止したとき、ディスク装置の自動電源オフが解除されている場合、光ディスクの回転速度を減速して、光ディスクを所定の回転速度で低速回転させるとともに、ディスク装置の自動電源オフが解除されている場合、光ディスクの記録／再生停止時に、光ディスクを所定の回転速度で低速回転させるようにする。【選択図】        図３
2006012306.tif 000002
【特許請求の範囲】
【請求項１】
自動電源オフ機能を備え、光ディスクに情報データを記録／再生するディスク装置であって、
光ディスクの回転速度を制御する制御手段と、光ディスクの記録／再生停止からの経過時間を計時するタイマ手段とを備え、
光ディスクの記録／再生が停止したとき、ディスク装置の自動電源オフが解除されている場合、光ディスクの回転速度を減速して、光ディスクを所定の回転速度で回転させ、光ディスクの記録／再生停止からの経過時間が所定時間経過したとき、光ディスクの回転速度を更に減速して、光ディスクを所定の回転速度で低速回転させるとともに、ディスク装置の自動電源オフが解除されている場合、光ディスクの記録／再生停止時に、光ディスクを所定の回転速度で低速回転させるようにしたことを特徴とするディスク装置。
【請求項２】
自動電源オフ機能を備え、光ディスクに情報データを記録／再生するディスク装置であって、
光ディスクの回転速度を制御する制御手段を備え、
光ディスクの記録／再生が停止したとき、ディスク装置の自動電源オフが解除されている場合、光ディスクの回転速度を減速して、光ディスクを所定の回転速度で低速回転させるようにしたことを特徴とするディスク装置。
【請求項３】
光ディスクの記録／再生停止からの経過時間を計時するタイマ手段を更に備え、
光ディスクの記録／再生が停止したとき、ディスク装置の自動電源オフが解除されている場合、光ディスクの回転速度を減速して、光ディスクを所定の回転速度で回転させ、光ディスクの記録／再生停止からの経過時間が所定時間経過したとき、光ディスクの回転速度を更に減速して、光ディスクを所定の回転速度で低速回転させるようにしたことを特徴とする請求項２記載のディスク装置。
【請求項４】
前記制御手段は、ディスク装置の自動電源オフが解除されている場合、光ディスクの記録／再生停止時に、光ディスクを所定の回転速度で低速回転させることを特徴とする請求項２又は請求項３のいずれかに記載のディスク装置。
【請求項５】
ディスク装置の電源を自動的にＯＦＦにする自動電源オフ機能を備え、光ディスクに情報データを記録／再生するディスク装置の制御方法であって、
光ディスクの記録／再生が停止したとき、ディスク装置の自動電源オフが解除されている場合、光ディスクの回転速度を減速して、光ディスクを所定の回転速度で回転させるステップと、光ディスクの記録／再生停止からの経過時間が所定時間経過したとき、光ディスクの回転速度を更に減速して、光ディスクを所定の回転速度で低速回転させるステップと、ディスク装置の自動電源オフが解除されている場合、光ディスクの記録／再生停止時に、光ディスクを所定の回転速度で低速回転させるステップとを備えたことを特徴とするディスク装置の制御方法。
【発明の詳細な説明】
【技術分野】
【０００１】
本発明は、ＤＶＤ（Ｄｉｇｉｔａｌ  Ｖｅｒｓａｔｉｌｅ  Ｄｉｓｃ）等の光ディスクに情報データを記録／再生するディスク装置及びその制御方法に係り、特に光ディスクの記録／再生停止時に、ディスク装置内部の温度を下げることができるディスク装置及びその制御方法に関する。
【背景技術】
【０００２】
一般に、ディスク装置は、電源がＯＮになっている場合、光ディスクの記録／再生停止時であっても、ディスク装置内の複数の電子装置等に電源が供給されているため、それらの電子装置が発熱してディスク装置内部の温度が上昇する。特に、光ディスクの記録、或いは再生時には、光ディスクを回転させるスピンドルモータ、光ピックアップを光ディスクの半径方向に移動させるスレッドモータ、光ピックアップに組み込まれた半導体レーザ、光ディスクに記録／再生する情報データの信号を処理する信号処理回路等の発熱により、ディスク装置内部の温度が光ディスクの記録／再生停止時よりも高温になり、光ディスクの記録／再生を停止したときに、光ディスクの記録／再生時に上昇したディスク装置内部の温度が容易に低下しないため、動作温度範囲が広い電子装置、電子部品等を用いなければならず、コストを削減することができないという問題点があった。
背景技術としては、半導体レーザの発光動作時に、光ピックアップ近傍の温度が設定値を超えた場合に、半導体レーザの発光動作を中断させるとともに、光ディスクの回転速度を上昇させて、光ディスクの回転に伴う空気流量を増加させ、光ピックアップ近傍の部材を冷却するようにしたものがあった（例えば、特許文献１参照）。
また、半導体レーザの発光動作中に、半導体レーザからのレーザ光を所定の位置に導いて、そのレーザ光からエバネッセント光を発生させる微小開口近傍を光ディスクの回転に伴って発生する空気の流れにより冷却するようにしたものがあった（例えば、特許文献２参照）。
【特許文献１】特開２００３−２５７０２２号公報
【特許文献２】特開２０００−２４２９５７号公報
【発明の開示】
【発明が解決しようとする課題】
【０００３】
しかしながら、背景技術で述べたもののうち前者においては、半導体レーザの発光動作中に、光ピックアップ近傍の温度が設定値を超えた場合に、半導体レーザの発光動作を中断させるとともに、光ディスクの回転速度を上昇させて、光ピックアップ近傍の部材を冷却することができたが、光ディスクの記録／再生を停止したときに、光ディスクの記録／再生時に上昇したディスク装置内部の温度を下げるようにしたものではなかった。また、光ピックアップ近傍の部材を冷却するために、光ディスクの回転速度を上昇させるようにしていため、光ディスクを回転させるスピンドルモータの寿命を縮めることになるという問題点があった。
また、後者においては、半導体レーザの発光動作中に、半導体レーザからのレーザ光を所定の位置に導いて、そのレーザ光からエバネッセント光を発生させる微小開口近傍を光ディスクの回転に伴って発生する空気の流れにより冷却することができたが、光ディスクの記録／再生を停止したときに、光ディスクの記録／再生時に上昇したディスク装置内部の温度を下げるようにしたものではなかった。
本発明は、背景技術の有するこのような問題点に鑑みてなされたものであり、その目的とするところは、冷却ファン等の新たな部品を追加することなく、光ディスクの記録／再生停止時に、光ディスクの記録／再生時に上昇したディスク装置内部の温度を速やかに低下させるとともに、光ディスクの記録／再生停止時のディスク装置内部の温度上昇を抑制することができるディスク装置及びその制御方法を提供しようとするものである。
【課題を解決するための手段】
【０００４】
上記目的を達成するため本発明においては、自動電源オフ機能を備え、光ディスクに情報データを記録／再生するディスク装置であって、光ディスクの回転速度を制御する制御手段を備え、光ディスクの記録／再生が停止したとき、ディスク装置の自動電源オフが解除されている場合、光ディスクの回転速度を減速して、光ディスクを所定の回転速度で低速回転させるようにする。
更に、光ディスクの記録／再生停止からの経過時間を計時するタイマ手段を備え、光ディスクの記録／再生が停止したとき、ディスク装置の自動電源オフが解除されている場合、光ディスクの回転速度を減速して、光ディスクを所定の回転速度で回転させ、前記タイマ手段により計時された光ディスクの記録／再生停止からの経過時間が所定時間経過したとき、光ディスクの回転速度を更に減速して、光ディスクを所定の回転速度で低速回転させるようにする。
前記制御手段は、ディスク装置の自動電源オフが解除されている場合、光ディスクの記録／再生停止時に、光ディスクを所定の回転速度で低速回転させるようにする。
これらの手段により、冷却ファン等の新たな部品を追加することなく、光ディスクの記録／再生停止時に、光ディスクの記録／再生時に上昇したディスク装置内部の温度を速やかに低下させるとともに、光ディスクの記録／再生停止時のディスク装置内部の温度上昇を抑制することができる。
【発明の効果】
【０００５】
請求項１記載の発明に係るディスク装置によれば、光ディスクの記録／再生が停止したとき、ディスク装置の自動電源オフが解除されている場合、光ディスクの回転速度を減速して、光ディスクを所定の回転速度で回転させ、光ディスクの記録／再生停止からの経過時間が所定時間経過したとき、光ディスクの回転速度を更に減速して、光ディスクを所定の回転速度で低速回転させるとともに、ディスク装置の自動電源オフが解除されている場合、光ディスクの記録／再生停止時に、光ディスクを所定の回転速度で低速回転させるようにしているので、光ディスクを低速回転させることによりその面振れ、偏心等によりディスク装置内部に対流を発生させてディスク装置内部の温度を下げることができ、冷却ファン等の新たな部品を追加することなく、光ディスクの記録／再生停止時に、光ディスクの記録／再生時に上昇したディスク装置内部の温度を速やかに低下させるとともに、光ディスクの記録／再生停止時のディスク装置内部の温度上昇を抑制することができる。
請求項２記載の発明に係るディスク装置によれば、光ディスクの記録／再生が停止したとき、ディスク装置の自動電源オフが解除されている場合、光ディスクの回転速度を減速して、光ディスクを所定の回転速度で低速回転させるようにしているので、光ディスクを低速回転させることによりその面振れ、偏心等によりディスク装置内部に対流を発生させてディスク装置内部の温度を下げることができ、冷却ファン等の新たな部品を追加することなく、光ディスクの記録／再生停止時に、光ディスクの記録／再生時に上昇したディスク装置内部の温度を速やかに低下させることができる。
請求項３記載の発明に係るディスク装置によれば、光ディスクの記録／再生が停止したとき、ディスク装置の自動電源オフが解除されている場合、光ディスクの回転速度を減速して、光ディスクを所定の回転速度で回転させ、光ディスクの記録／再生停止からの経過時間が所定時間経過したとき、光ディスクの回転速度を更に減速して、光ディスクを所定の回転速度で低速回転させるようにしているので、光ディスクを低速回転させることによりその面振れ、偏心等によりディスク装置内部に対流を発生させてディスク装置内部の温度を下げることができ、冷却ファン等の新たな部品を追加することなく、光ディスクの記録／再生停止時に、光ディスクの記録／再生時に上昇したディスク装置内部の温度を速やかに低下させることができる。
請求項４記載の発明に係るディスク装置によれば、ディスク装置の自動電源オフが解除されている場合、光ディスクの記録／再生停止時に、光ディスクを所定の回転速度で低速回転させるようにしているので、光ディスクを低速回転させることによりその面振れ、偏心等によりディスク装置内部に対流を発生させてディスク装置内部の温度を下げることができ、冷却ファン等の新たな部品を追加することなく、光ディスクの記録／再生停止時のディスク装置内部の温度上昇を抑制することができる。
請求項５記載の発明に係るディスク装置によれば、光ディスクの記録／再生が停止したとき、ディスク装置の自動電源オフが解除されている場合、光ディスクの回転速度を減速して、光ディスクを所定の回転速度で回転させ、光ディスクの記録／再生停止からの経過時間が所定時間経過したとき、光ディスクの回転速度を更に減速して、光ディスクを所定の回転速度で低速回転させ、ディスク装置の自動電源オフが解除されている場合、光ディスクの記録／再生停止時に、光ディスクを所定の回転速度で低速回転させるようにしているので、光ディスクを低速回転させることによりその面振れ、偏心等によりディスク装置内部に対流を発生させてディスク装置内部の温度を下げることができ、冷却ファン等の新たな部品を追加することなく、光ディスクの記録／再生停止時に、光ディスクの記録／再生時に上昇したディスク装置内部の温度を速やかに低下させるとともに、光ディスクの記録／再生停止時のディスク装置内部の温度上昇を抑制することができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置の動作を示す説明図であり、図３は本発明の一実施例のディスク装置の動作を示すフローチャートであり、図４は本発明の他の実施例のディスク装置の動作を示す説明図であり、図５は本発明の他の実施例のディスク装置の動作を示すフローチャートである。
まず、図１の本発明の一実施例のディスク装置の構成を示すブロック図を基に説明する。
ディスク装置１は、光ディスク２の記録面にレーザ光を照射して情報データを光ディスク２に記録するとともに、光ディスク２にレーザ光を照射してその反射光を検出して光ディスク２に記録された情報データを読み出す光ピックアップ３と、光ディスク２を回転させるスピンドルモータ４と、スピンドルモータ４を駆動して光ディスク２の回転速度をサーボ制御するスピンドルサーボ回路５と、光ピックアップ３を光ディスク２の半径方向に移動させるスレッドモータ６と、スレッドモータ６の回転方向と回転速度とをサーボ制御するスレッドサーボ回路７と、光ピックアップ３により検出されたトラッキング誤差信号に基づいて光ピックアップ３のトラッキングをサーボ制御するトラッキングサーボ回路８と、光ピックアップ３により検出されたフォーカス誤差信号に基づいて光ピックアップ３のフォーカッシングをサーボ制御するフォーカスサーボ回路９と、光ピックアップ３により読み出された情報データを基準クロックに基づいて同期検出して復調し、復調された情報データの誤りを訂正して、所定の圧縮方式に基づいて圧縮された情報データを伸張し、復号して再生するとともに、情報データを符号化して、所定の圧縮方式に基づいて圧縮し、光ピックアップを駆動して光ディスク２に情報データを記録する信号処理回路１０と、ディスク装置１のシステム全体を制御するマイコン１１と、経過時間を計時するタイマ回路１２と、ディスク装置の電源のＯＮ／ＯＦＦを制御する電源制御回路１３とで構成されている。
以上のように構成されたディスク装置の一実施例について、以下その動作について説明する。
ディスク装置１の電源がＯＮにされると、マイコン１１は、光ディスク２の記録／再生が指令されたか否かを判断して、光ディスク２の記録／再生が指令された場合、スピンドルサーボ回路５に制御信号を送出して、スピンドルモータ４により光ディスク２を所定の回転速度で回転させ、スレッドサーボ回路７、トラッキングサーボ回路８、フォーカスサーボ回路９に制御信号を送出して、光ピックアップ３のトラッキングとフォーカスとをサーボ制御し、信号処理回路１０に制御信号を送出して、光ピックアップ３により光ディスク２に情報データを記録／再生する。
光ディスク２の記録／再生の停止が指令されると、マイコン１１は、スレッドサーボ回路７、トラッキングサーボ回路８、フォーカスサーボ回路９、信号処理回路１０に制御信号を送出して、光ディスク２の記録／再生を停止し、ディスク装置１の電源を自動的にＯＦＦにする自動電源オフが解除されているか否かを判断する。ディスク装置１の自動電源オフが解除されている場合、マイコン１１は、スピンドルサーボ回路５に制御信号を送出して、光ディスク２の回転速度を減速し、光ディスク２を所定の回転速度Ｖ２で低速回転させて（図２（ａ）参照）、光ディスク２の回転に伴う対流によりディスク装置１内部を冷却し、光ディスク２の記録／再生時に上昇したディスク装置１内部の温度を下げる（図２（ｂ）参照）。また、ディスク装置１の自動電源オフが解除されている場合、マイコン１１は、光ディスク２の記録／再生停止後に、光ディスク２を所定の回転速度Ｖ２で低速回転させて、光ディスク２の記録／再生停止時のディスク装置１内部の温度上昇を抑制する。
また、ディスク装置１の自動電源オフが設定されている場合、光ディスク２の記録／再生を停止すると、マイコン１１は、タイマ回路１２に制御信号を送出して、光ディスク２の記録／再生停止からの経過時間を計時するタイマをスタートさせ、光ディスク２の記録／再生停止からの経過時間が経過したとき、電源制御回路１３に制御信号を送出して、ディスク装置１の電源をＯＦＦにする。
また、図３の本発明の一実施例のディスク装置の動作を示すフローチャートを基に説明する。
ディスク装置の電源がＯＮにされると、ステップＳ１からステップＳ２に進み、ステップＳ２で、光ディスクの記録／再生が指令されたか否かが判断され、光ディスクの記録／再生が指令された場合、ステップＳ３に進み、光ディスクの記録／再生が指令されていない場合、ステップＳ４に進む。
ステップＳ３で、光ディスクが所定の回転速度で回転されて、光ディスクに情報データが記録／再生され、ステップＳ４に進む。
ステップＳ４で、光ディスクの記録／再生の停止が指令されたか否かが判断され、光ディスクの記録／再生の停止が指令された場合、ステップＳ５に進み、光ディスクの記録／再生の停止が指令されていない場合、ステップＳ２に戻って、ステップＳ２からのステップを繰り返す。
ステップＳ５で、光ディスクの記録／再生が停止され、ステップＳ６に進む。
ステップＳ６で、ディスク装置の自動電源オフが設定されているか否かが判断され、ディスク装置の自動電源オフが設定されている場合、ステップＳ８に進み、ディスク装置の自動電源オフが解除されている場合、ステップＳ７に進む。
ステップＳ７で、光ディスクの回転速度が減速され、光ディスクが所定の回転速度で低速回転されて、光ディスクの回転に伴う対流によりディスク装置内部が冷却され、ステップＳ２に戻って、ステップＳ２からのステップを繰り返す。
ステップＳ８で、光ディスクの記録／再生停止からの経過時間を計時するタイマがスタートされ、ステップＳ９に進む。
ステップＳ９で、光ディスクの記録／再生停止からの経過時間が所定時間経過したか否かが判断され、光ディスクの記録／再生停止からの経過時間が所定時間経過した場合、ステップＳ１０に進み、光ディスクの記録／再生停止からの経過時間が所定時間経過していない場合、ステップＳ９のステップを繰り返す。
ステップＳ１０で、自動電源オフによりディスク装置の電源がＯＦＦにされて、ステップＳ１１に進んで処理を終了する。
次に、本発明のディスク装置の他の実施例について、以下その動作について説明する。
ディスク装置１の電源がＯＮにされると、マイコン１１は、光ディスク２の記録／再生が指令されたか否かを判断して、光ディスク２の記録／再生が指令された場合、スピンドルサーボ回路５に制御信号を送出して、スピンドルモータ４により光ディスク２を所定の回転速度で回転させ、スレッドサーボ回路７、トラッキングサーボ回路８、フォーカスサーボ回路９に制御信号を送出して、光ピックアップ３のトラッキングとフォーカスとをサーボ制御し、信号処理回路１０に制御信号を送出して、光ピックアップ３により光ディスク２に情報データを記録／再生する。
光ディスク２の記録／再生の停止が指令されると、マイコン１１は、スレッドサーボ回路７、トラッキングサーボ回路８、フォーカスサーボ回路９、信号処理回路１０に制御信号を送出して、光ディスク２の記録／再生を停止する。そして、マイコン１１は、ディスク装置１の自動電源オフが設定されているか否かを判断して、ディスク装置１の自動電源オフが解除されている場合、スピンドルサーボ回路５に制御信号を送出して、光ディスク２の回転速度を減速し、光ディスク２を所定の回転速度Ｖ３で回転させて（図４（ａ）参照）、光ディスク２の回転に伴う対流によりディスク装置１内部を冷却し、光ディスク２の記録／再生時に上昇したディスク装置１内部の温度を下げ（図４（ｂ）参照）、タイマ回路１２に制御信号を送出して、光ディスク２の記録／再生停止からの経過時間を計時するタイマをスタートさせる。
そして、光ディスク２の記録／再生停止からの経過時間が所定時間経過した場合、マイコン１１は、スピンドルサーボ回路５に制御信号を送出して、光ディスク２の回転速度を更に減速して、光ディスクを所定の回転速度Ｖ２で低速回転させ（図４（ａ）参照）、光ディスク２の回転に伴う対流によりディスク装置１内部を冷却する（図４（ｂ）参照）。また、ディスク装置１の自動電源オフが解除されている場合、マイコン１１は、光ディスク２の記録／再生停止後に、光ディスク２を所定の回転速度Ｖ２で低速回転させて、光ディスク２の記録／再生停止時のディスク装置１内部の温度上昇を抑制する。
また、ディスク装置１の自動電源オフが設定されている場合、光ディスク２の記録／再生を停止すると、マイコン１１は、タイマ回路１２に制御信号を送出して、光ディスク２の記録／再生停止からの経過時間を計時するタイマをスタートさせ、光ディスク２の記録／再生停止からの経過時間が経過した場合、電源制御回路１３に制御信号を送出して、ディスク装置１の電源をＯＦＦにする。
また、図５の本発明の他の実施例のディスク装置の動作を示すフローチャートを基に説明する。
ディスク装置の電源がＯＮにされると、ステップＳ２１からステップＳ２２に進み、ステップＳ２２で、光ディスクの記録／再生が指令されたか否かが判断され、光ディスクの記録／再生が指令された場合、ステップＳ２３に進み、光ディスクの記録／再生が指令されていない場合、ステップＳ２４に進む。
ステップＳ２３で、光ディスクが所定の回転速度で回転されて、光ディスクに情報データが記録／再生され、ステップＳ２４に進む。
ステップＳ２４で、光ディスクの記録／再生の停止が指令されたか否かが判断され、光ディスクの記録／再生の停止が指令された場合、ステップＳ２５に進み、光ディスクの記録／再生の停止が指令されていない場合、ステップＳ２２に戻って、ステップＳ２２からのステップを繰り返す。
ステップＳ２５で、光ディスクの記録／再生が停止され、ステップＳ２６に進む。
ステップＳ２６で、ディスク装置の自動電源オフが設定されているか否かが判断され、ディスク装置の自動電源オフが設定されている場合、ステップＳ２８に進み、ディスク装置の自動電源オフが解除されている場合、ステップＳ２７に進む。
ステップＳ２７で、光ディスクの回転速度が減速され、光ディスクが所定の回転速度で回転されて、光ディスクの回転に伴う対流によりディスク装置内部が冷却され、光ディスクの記録／再生停止からの経過時間を計時するタイマがスタートされて、ステップＳ２８に進む。
ステップＳ２８で、光ディスクの記録／再生停止からの経過時間が所定時間経過したか否かが判断され、光ディスクの記録／再生停止からの経過時間が所定時間経過した場合、ステップＳ２９に進み、光ディスクの記録／再生停止からの経過時間が所定時間経過していない場合、ステップＳ２８のステップを繰り返す。
ステップＳ２９で、光ディスクの回転速度が更に減速され、光ディスクが所定の回転速度で低速回転されて、光ディスクの回転に伴う対流によりディスク装置内部が冷却され、ステップＳ２２に戻って、ステップＳ２２からのステップを繰り返す。
ステップＳ３０で、光ディスクの記録／再生停止からの経過時間を計時するタイマがスタートされ、ステップＳ３１に進む。
ステップＳ３１で、光ディスクの記録／再生停止からの経過時間が経過したか否かが判断され、光ディスクの記録／再生停止からの経過時間が経過した場合、ステップＳ３２に進み、光ディスクの記録／再生停止からの経過時間が経過していない場合、ステップＳ３１のステップを繰り返す。
ステップＳ３２で、自動電源オフによりディスク装置の電源がＯＦＦにされて、ステップＳ３３に進んで処理を終了する。
【図面の簡単な説明】
【０００７】
【図１】本発明の一実施例のディスク装置の構成を示すブロック図である。
【図２】本発明の一実施例のディスク装置の動作を示す説明図である。
【図３】本発明の一実施例のディスク装置の動作を示すフローチャートである。
【図４】本発明の他の実施例のディスク装置の動作を示す説明図である。
【図５】本発明の他の実施例のディスク装置の動作を示すフローチャートである。
【符号の説明】
【０００８】
１  ディスク装置
２  光ディスク
３  光ピックアップ
４  スピンドルモータ
５  スピンドルサーボ回路
６  スレッドモータ
７  スレッドサーボ回路
８  トラッキングサーボ回路
９  フォーカスサーボ回路
１０  信号処理回路
１１  マイコン
１２  タイマ回路
１３  電源制御回路
【図１】
2006012306.tif 000003
【図２】
2006012306.tif 000004
【図３】
2006012306.tif 000005
【図４】
2006012306.tif 000006
【図５】
2006012306.tif 000007